(57)【特許請求の範囲】
【請求項１】
複数の室内ユニット（３ａ、３ｂ、３ｃ、３ｄ）が室外ユニット（２）に接続されることによって構成されており冷媒が循環する冷媒回路（１ａ）と、前記複数の室内ユニット及び前記室外ユニットの運転制御を行う制御装置（１２）と、を有する空気調和装置において、
被空調空間ごとに前記複数の室内ユニットがグルーピングされ、前記グルーピングによって設定された各グループに対応して設置されており前記被空調空間の換気を行う換気装置（６ａ、６ｂ）、又は、前記各グループに対応して設置されており前記冷媒を検知する冷媒漏洩検知装置（１１ａ、１１ｂ）からの信号が前記制御装置に入力されない限り、前記複数の室内ユニット及び前記室外ユニットの試運転を含む運転を行えないようにしている、
空気調和装置（１）。
【請求項２】
前記冷媒が微燃性又は可燃性又は毒性を有する、
請求項１に記載の空気調和装置（１）。
【請求項３】
前記換気装置及び前記冷媒漏洩検知装置からの信号が前記制御装置に入力されない限り、前記複数の室内ユニット及び前記室外ユニットの試運転を含む運転を行えないようにしている、
請求項１又は２に記載の空気調和装置（１）。
【請求項４】
前記冷媒漏洩検知装置が前記冷媒を検知した場合に、前記冷媒が検知された前記被空調空間の換気を行う前記換気装置が、前記被空調空間から前記冷媒を排出する冷媒排出運転を行う、
請求項３に記載の空気調和装置（１）。
【請求項５】
前記室内ユニットが室内膨張機構を有しており、
前記室外ユニットが圧縮機及び室外ファンを有しており、
前記冷媒漏洩検知装置が前記冷媒を検知した場合に、前記室内ユニットにおいては、前記室内膨張機構が閉止し、前記室外ユニットにおいては、前記圧縮機及び前記室外ファンが停止する、
請求項３又は４に記載の空気調和装置（１）。
【請求項６】
前記冷媒漏洩検知装置が前記被空調空間ごとに設置されている、
請求項１〜５のいずれか１項に記載の空気調和装置（１）。
【請求項７】
前記換気装置が前記被空調空間ごとに設置されている、
請求項１〜６のいずれか１項に記載の空気調和装置（１）。
【発明の詳細な説明】
【技術分野】
【０００１】
本発明は、空気調和装置、特に、複数の室内ユニットが室外ユニットに接続されることによって構成されており冷媒が循環する冷媒回路と、複数の室内ユニット及び室外ユニットの運転制御を行う制御装置と、を有する空気調和装置に関する。
【背景技術】
【０００２】
従来より、特許文献１（特開２００１−７４２８３号公報）に示すように、可燃性のガスを検知する検知器（冷媒漏洩検知装置）と、可燃性の冷媒が循環する冷媒回路を有する空気調和装置と、換気扇（換気装置）とを室内（被空調空間）に設置し、そして、冷媒漏洩検知装置が可燃性の冷媒の漏洩を検知した際に、換気装置を運転することで可燃性の冷媒を被空調空間から排出するようにした構成が提案されている。
【発明の概要】
【発明が解決しようとする課題】
【０００３】
ここで、冷媒が循環する冷媒回路を有する空気調和装置と換気を行う換気装置とをビル等の建物に設置することによって、被空調空間の冷暖房及び換気を行うようにする場合には、実際には、空気調和装置と換気装置とが、互いに独立して設置される場合が多い。すなわち、換気装置としては、換気扇のようなファンを有するものや、排熱回収のための全熱交換器を有するもの、除湿や加湿のための除加湿器を有するもの等、様々な種類のものが存在しており、空気調和装置とは独立してユーザーのニーズに応じて選定されるため、設置現場において、異なる業者によって空気調和装置と換気装置とが独立して設置される場合が多いのである。
【０００４】
しかし、このような空気調和装置と換気装置とが独立して選定・設置される場合であっても、空気調和装置からの冷媒の漏洩によって、被空調空間における酸欠事故、着火事故（冷媒が微燃性又は可燃性を有する場合）又は中毒事故（冷媒が毒性を有する場合）が発生することを防止するために、冷媒が漏洩した際に換気を行い、被空調空間において酸欠濃度、可燃濃度又は毒性限界濃度を超えないようにすることが重要である。ところが、空気調和装置と換気装置とが独立して選定・設置されると、異なる業者によって設置作業が行われることもあり、冷媒漏洩検知装置を含めた各装置間の信号伝送系統の接続が確実になされない状況が発生するおそれがある。このため、空気調和装置と換気装置とが独立して選定・設置される構成においては、空気調和装置から冷媒が漏洩した際に換気装置を運転させるように構成することが難しいという問題がある。
【０００５】
また、複数の室内ユニットが室外ユニットに接続されることによって構成されており冷媒が循環する冷媒回路を有する室内マルチ型の空気調和装置では、被空調空間ごとに室内ユニット及び換気装置を設置して、換気装置と連動させて運転することもある。例えば、オフィスにおいて勤務時間外に労働者が在室していない場合には、省エネルギのために空気調和装置及び換気装置を連動させて停止させることがある。
【０００６】
しかし、室内マルチ型の空気調和装置と換気装置とを連動させる構成においても、空気調和装置及び換気装置自体は、独立して設置して運転することが可能な装置である。すなわち、両装置間の信号伝送系統の接続が行われている場合には、必要に応じて両装置を連動させて運転できるようになっているが、両装置間の信号伝送系統の接続が行われていない場合には、互いに連動することはなく、両装置を独立して運転できるだけである。このように、室内マルチ型の空気調和装置と換気装置とが独立して選定・設置されることを考慮すると、特許文献１のように、冷媒漏洩検知装置が冷媒の漏洩を検知した際に、換気装置を運転することで冷媒を被空調空間から排出する構成を採用しようとしても、設置現場において、冷媒漏洩検知装置を含めた各装置間の信号伝送系統の接続が確実になされない状況が発生するおそれがある。このため、室内マルチ型の空気調和装置と換気装置とが独立して設置される構成においては、冷媒が漏洩した際に換気装置が運転される等の対策が確立しないままで空気調和装置の運転が行われるおそれがあり、空気調和装置からの冷媒の漏洩による事故が発生する可能性を排除することができないという問題がある。
【０００７】
本発明の課題は、複数の室内ユニットが室外ユニットに接続されることによって構成されており冷媒が循環する冷媒回路と、複数の室内ユニット及び室外ユニットの運転制御を行う制御装置と、を有する空気調和装置において、空気調和装置からの冷媒の漏洩による事故の発生を確実に抑えることにある。
【課題を解決するための手段】
【０００８】
第１の観点にかかる空気調和装置は、複数の室内ユニットが室外ユニットに接続されることによって構成されており冷媒が循環する冷媒回路と、複数の室内ユニット及び室外ユニットの運転制御を行う制御装置と、を有している。そして、ここでは、被空調空間ごとに複数の室内ユニットがグルーピングされ、グルーピングによって設定された各グループに対応して設置されており被空調空間の換気を行う換気装置、又は、各グループに対応して設置されており冷媒を検知する冷媒漏洩検知装置からの信号が制御装置に入力されない限り、複数の室内ユニット及び室外ユニットの試運転を含む運転を行えないようにしている。
【０００９】
ここでは、上記のように、室内マルチ型の空気調和装置を設置するにあたり、複数の室内ユニットを被空調空間ごとにグルーピングし、かつ、各グループに対応して換気装置や冷媒漏洩検知装置からの信号が制御装置に入力される状態を確立することによって、設置現場において、冷媒漏洩検知装置を含めた各装置間の信号伝送系統の接続が確実になされるようにしている。
【００１０】
これにより、室内マルチ型の空気調和装置と換気装置とが独立して設置される構成においても、冷媒が漏洩した際に換気装置が運転される等の対策が確実に確立した状態で空気調和装置の運転を行うことができ、空気調和装置からの冷媒の漏洩による事故の発生を確実に抑えることができる。
【００１１】
第２の観点にかかる空気調和装置は、第１の観点にかかる空気調和装置において、冷媒が微燃性又は可燃性又は毒性を有する。
【００１２】
冷媒が微燃性又は可燃性又は毒性を有する場合には、冷媒が漏洩した際に換気装置が運転される等の対策がなされなければ、可燃濃度又は毒性限界濃度を超えてしまい、被空調空間における着火事故や中毒事故が発生するおそれがある。しかし、ここでは、上記のように、室内マルチ型の空気調和装置を設置するにあたり、設置現場において、冷媒漏洩検知装置を含めた各装置間の信号伝送系統の接続が確実になされるようにしているため、冷媒が漏洩した際に換気装置が運転される等の対策が確実に確立した状態で空気調和装置の運転を行うことができ、空気調和装置からの冷媒の漏洩による着火事故や中毒事故の発生を確実に抑えることができる。
【００１３】
第３の観点にかかる空気調和装置は、第１又は第２の観点にかかる空気調和装置において、換気装置及び冷媒漏洩検知装置からの信号が制御装置に入力されない限り、複数の室内ユニット及び室外ユニットの試運転を含む運転を行えないようにしている。
【００１４】
第４の観点にかかる空気調和装置は、第３の観点にかかる空気調和装置において、冷媒漏洩検知装置が冷媒を検知した場合に、冷媒が検知された被空調空間の換気を行う換気装置が、被空調空間から冷媒を排出する冷媒排出運転を行う。
【００１５】
第５の観点にかかる空気調和装置は、第３又は第４の観点にかかる空気調和装置において、室内ユニットが室内膨張機構を有しており、室外ユニットが圧縮機及び室外ファンを有している。そして、ここでは、冷媒漏洩検知装置が冷媒を検知した場合に、室内ユニットにおいては、室内膨張機構が閉止し、室外ユニットにおいては、圧縮機及び室外ファンが停止する。
【００１６】
第６の観点にかかる空気調和装置は、第１〜第５の観点のいずれかにかかる空気調和装置において、冷媒漏洩検知装置が被空調空間ごとに設置されている。
【００１７】
第７の観点にかかる空気調和装置は、第１〜第６の観点のいずれかにかかる空気調和装置において、換気装置が被空調空間ごとに設置されている。
【発明の効果】
【００１８】
以上の説明に述べたように、本発明によれば、室内マルチ型の空気調和装置と換気装置とが独立して設置される構成においても、冷媒が漏洩した際に換気装置が運転される等の対策が確実に確立した状態で空気調和装置の運転を行うことができ、空気調和装置からの冷媒の漏洩による事故の発生を確実に抑えることができる。
【図面の簡単な説明】
【００１９】
【図１】本発明の一実施形態にかかる空気調和装置を有する空調換気システムの全体構成図である。
【図２】空調換気システムの伝送系統図である。
【図３】空気調和装置の機器配管系統図である。
【図４】換気装置の機器構成図である。
【図５】空調換気システムの制御ブロック図である。
【図６】現場設置後における各装置間の信号伝送系統の接続処理を示すフローチャートである。
【図７】運転許可後のユニット情報テーブルの内容を示す図である。
【発明を実施するための形態】
【００２０】
以下、本発明にかかる空気調和装置の実施形態について、図面に基づいて説明する。尚、本発明にかかる空気調和装置の実施形態の具体的な構成は、下記の実施形態に限られるものではなく、発明の要旨を逸脱しない範囲で変更可能である。
【００２１】
（１）構成
＜全体＞
図１は、本発明の一実施形態にかかる空気調和装置１を有する空調換気システムの全体構成図である。図２は、空調換気システムの伝送系統図である。
【００２２】
空調換気システムは、主として、被空調空間（ここでは、被空調空間Ｓ１、Ｓ２）の冷房及び暖房を行うことが可能な空気調和装置１と、被空調空間Ｓ１、Ｓ２の換気を行う換気装置６ａ、６ｂと、を有するシステムである。また、空調換気システムは、冷媒を検知する冷媒漏洩検知装置１１ａ、１１ｂを有している。
【００２３】
空気調和装置１は、複数（ここでは、４つ）の室内ユニット３ａ、３ｂ、３ｃ、３ｄが室外ユニット２に接続されることによって構成されており冷媒が循環する冷媒回路１ａと、室内ユニット３ａ、３ｂ、３ｃ、３ｄ及び室外ユニット２の運転制御を行う制御装置としての空調コントローラ１２と、を有する室内マルチ型の空気調和装置である。ここで、室内ユニット３ａ、３ｂは、被空調空間Ｓ１の冷房及び暖房を行うために、被空調空間Ｓ１の天井等に設置されており、室内ユニット３ｃ、３ｄは、被空調空間Ｓ２の冷房及び暖房を行うために、被空調空間Ｓ２の天井等に設置されている。室外ユニット２は、建物の屋上等に設置されている。冷媒回路１ａは、複数の室内ユニット３ａ、３ｂ、３ｃ、３ｄと室外ユニット２とを冷媒連絡管４、５を介して接続することによって構成されている。冷媒回路１ａには、冷媒として、Ｒ３２のような微燃性を有する冷媒、又は、プロパンのような可燃性を有する冷媒、又は、アンモニアのような毒性を有する冷媒が封入されている。空調コントローラ１２は、複数（ここでは、４つ）の室内コントローラ１３０ａ、１３０ｂ、１３０ｃ、１３０ｄと、室外コントローラ１２０と、グループリモコン１００とが伝送線を介して接続されることによって構成されている。各室内コントローラ１３０ａ、１３０ｂ、１３０ｃ、１３０ｄは、対応する室内ユニット３ａ、３ｂ、３ｃ、３ｄに設けられており、各室内ユニット３ａ、３ｂ、３ｃ、３ｄに対応してリモコンが設けられる場合には、そのリモコンも室内コントローラ１３０ａ、１３０ｂ、１３０ｃ、１３０ｄに含まれる。室外コントローラ１２０は、室外ユニット２に設けられている。グループリモコン１００は、建物内（例えば、被空調空間Ｓ１）に設けられている。
【００２４】
換気装置６ａ、６ｂは、複数（ここでは、２つ）あり、各被空調空間Ｓ１、Ｓ２に対応して設けられている。ここで、換気装置６ａは、被空調空間Ｓ１の換気を行うために、被空調空間Ｓ１の天井裏に設置されており、換気装置６ｂは、被空調空間Ｓ２の換気を行うために、被空調空間Ｓ２の天井裏に設置されている。各換気装置６ａ、６ｂには、換気コントローラ１６０ａ、１６０ｂが設けられており、各換気装置６ａ、６ｂに対応してリモコンが設けられる場合には、そのリモコンも換気コントローラ１６０ａ、１６０ｂに含まれる。換気コントローラ１６０ａ、１６０ｂは、空気調和装置１との連動を可能にするために、伝送線を介してグループリモコン１００に接続されている。
【００２５】
冷媒漏洩検知装置１１ａ、１１ｂは、複数（ここでは、２つ）あり、各被空調空間Ｓ１、Ｓ２に対応して設けられている。ここで、冷媒漏洩検知装置１１ａは、室内ユニット３ａ、３ｂから被空調空間Ｓ１で冷媒が漏洩しているかどうかを検知するために、被空調空間Ｓ１に設けられており、冷媒漏洩検知装置１１ｂは、室内ユニット３ｃ、３ｃから被空調空間Ｓ２で冷媒が漏洩しているかどうかを検知するために、被空調空間Ｓ２に設けられている。各冷媒漏洩検知装置１１ａ、１１ｂには、検知コントローラ１１０ａ、１１０ｂが設けられており、被空調空間Ｓ１、Ｓ２で冷媒が漏洩しているかどうかを空気調和装置１及び換気装置６ａ、６ｂに知らせるために、伝送線を介してグループリモコン１００に接続されている。
【００２６】
＜空気調和装置＞
図３は、空気調和装置１の機器配管系統図である。ここで、図３においては、室外ユニット２及び室内ユニット３ａ、３ｂの機器配管構成を詳細に図示し、室内ユニット３ｃ、３ｄの機器配管構成の図示を省略している。
【００２７】
−室外ユニット−
室外ユニット２は、上記のように、冷媒連絡管４、５を介して室内ユニット３ａ、３ｂ、３ｃ、３ｄに接続されており、冷媒回路１ａの一部を構成している。
【００２８】
室外ユニット２は、主として、圧縮機２１と、切換機構２３と、室外熱交換器２４とを有している。
【００２９】
圧縮機２１は、冷媒を圧縮する機構であり、ここでは、ケーシング（図示せず）内に収容されたロータリ式やスクロール式等の容積式の圧縮要素（図示せず）が、同じくケーシング内に収容された圧縮機モータ２２によって駆動される密閉式圧縮機が採用されている。
【００３０】
切換機構２３は、室外熱交換器２４を冷媒の放熱器として機能させる冷房運転状態と室外熱交換器２４を冷媒の蒸発器として機能させる暖房運転状態とを切り換え可能な四路切換弁である。ここで、冷房運転状態は、圧縮機２１の吐出側と室外熱交換器２３のガス側とを連通させるとともに、ガス冷媒連絡管５と圧縮機２１の吸入側とを連通させる切り換え状態である（図３の切換機構２３の実線を参照）。暖房運転状態は、圧縮機２１の吐出側とガス冷媒連絡管５を連通させるとともに、室外熱交換器２３のガス側と圧縮機２１の吸入側とを連通させる切り換え状態である（図３の切換機構２３の破線を参照）。尚、切換機構２３は、四路切換弁に限定されるものではなく、例えば、複数の電磁弁を組み合わせる等によって、上記と同様の冷媒の流れの方向を切り換える機能を有するように構成したものであってもよい。
【００３１】
室外熱交換器２４は、冷媒と室外空気（ＯＡ）との熱交換を行うことで冷媒の放熱器又は蒸発器として機能する熱交換器である。この室外熱交換器２４において冷媒と熱交換を行う室外空気（ＯＡ）は、室外ファンモータ２６によって駆動される室外ファン２５によって室外熱交換器２４に供給されるようになっている。
【００３２】
−室内ユニット−
室内ユニット３ａ、３ｂ、３ｃ、３ｄは、上記のように、冷媒連絡管４、５を介して室外ユニット２に接続されており、冷媒回路１ａの一部を構成している。尚、以下の説明では、室内ユニット３ａの構成について説明し、室内ユニット３ｂ、３ｃ、３ｄの構成については、添字「ａ」を「ｂ」、「ｃ」、「ｄ」に読み替えることで説明を省略する。
【００３３】
室内ユニット３ａは、主として、室内膨張機構３１ａと、室内熱交換器３２ａとを有している。
【００３４】
室内膨張機構３１ａは、開度制御を行うことで室内熱交換器３２ａを流れる冷媒の流量を可変することが可能な電動膨張弁である。
【００３５】
室内熱交換器３２ａは、冷媒と室内空気（ＲＡ）との熱交換を行うことで冷媒の蒸発器又は放熱器として機能する熱交換器である。この室内熱交換器３２ａにおいて冷媒と熱交換を行う室内空気（ＲＡ）は、室内ファンモータ３４ａによって駆動される室内ファン３３ａによって室内熱交換器３２ａに供給されるようになっている。
【００３６】
＜換気装置＞
図４は、換気装置６ａ、６ｂの機器構成図である。
【００３７】
ここでは、換気装置６ａ、６ｂとして、熱交換器６２ａ、６２ｂを有する換気装置が採用されている。尚、以下の説明では、換気装置６ａの構成について説明し、換気装置６ｂの構成については、添字「ａ」を「ｂ」に読み替えることで説明を省略する。
【００３８】
換気装置６ａは、主として、室外空気（ＯＡ）を被空調空間（ここでは、被空調空間Ｓ１）に取り入れるための取入口に接続された取入ダクト７、室内空気（ＯＡ）を供給空気（ＳＡ）として供給する給気口に接続された給気ダクト８ａ、室内空気（ＲＡ）を被空調空間Ｓ１から取り出すための取出口に接続された取出ダクト９ａ、及び、室内空気（ＲＡ）を排出空気（ＥＡ）として室外に排出するための排出口に接続された排気ダクト１０に接続される装置本体６１ａを有している。
【００３９】
装置本体６１ａには、熱交換器６２ａが設けられるとともに、互いに区画された２つの通風路６３ａ、６４ａが熱交換器６２ａを横切るように形成されている。ここで、熱交換器６２ａは、２つの空気流（ここでは、室内空気と室外空気）の間で顕熱と潜熱とを同時に熱交換する全熱交換器であり、通風路６３ａ、６４ａを跨るように設けられている。一方の通風路６３ａは、その一端が取入ダクト７に接続されるとともに他端が給気ダクト８ａに接続されており、室外から被空調空間Ｓ１に向けて空気を流すための給気路を構成している。他方の通風路６４ａは、その一端が取出ダクト９ａに接続されるとともに他端が排気ダクト１０に接続されており、被空調空間Ｓ１から室外に向けて空気を流すための排気路を構成している。また、給気路６３ａには、室外から被空調空間Ｓ１に向かう空気流を生成するために、給気ファンモータ６６ａによって駆動される給気ファン６５ａが設けられ、排気路６４ａには、被空調空間Ｓ１から室外に向かう空気流を生成するために、排気ファンモータ６８ａによって駆動される排気ファン６７ａが設けられている。給気ファン６５ａ及び排気ファン６７ａは、空気流に対して熱交換器６２ａの下流側に配置されている。
【００４０】
＜コントローラ＞
図５は、空調換気システムの制御ブロック図である。ここで、図５においては、グループリモコン１００、室外コントローラ１２０、室内コントローラ１３０ａ、換気コントローラ１６０ａ及び検知コントローラ１１０ａの各部を詳細に図示し、室内コントローラ１３０ｂ、１３０ｃ、１３０ｄ、換気コントローラ１６０ｂ及び検知コントローラ１１０ｂの各部の図示を省略している。
【００４１】
−室外コントローラ−
室外コントローラ１２０は、室外ユニット２の運転制御を行っており、空調コントローラ１２の一部を構成している。室外コントローラ１２０は、主として、室外ＣＰＵ１２１と、室外伝送部１２２と、室外記憶部１２３とを有している。
【００４２】
室外ＣＰＵ１２１は、室外伝送部１２２及び室外記憶部１２３に接続されている。室外伝送部１２２は、室内コントローラ１３０ａ、１３０ｂ、１３０ｃ、１３０ｄとの間で制御データ等の伝送を行う。室外記憶部１２３は、制御データ等を記憶する。そして、室外ＣＰＵ１２１は、室外伝送部１２２や室外記憶部１２３を介して、制御データ等の伝送や読み書きを行いつつ、室外ユニット２に設けられた圧縮機等の機器２１、２３、２５の運転制御を行う。
【００４３】
−室内コントローラ−
室内コントローラ１３０ａ、１３０ｂ、１３０ｃ、１３０ｄは、それぞれ、対応する室内ユニット３ａ、３ｂ、３ｃ、３ｄの運転制御を行っており、空調コントローラ１２の一部を構成している。室内コントローラ１３０ａ、１３０ｂ、１３０ｃ、１３０ｄは、それぞれ、主として、室内ＣＰＵ１３１ａ、１３１ｂ、１３１ｃ、１３１ｄと、第１室内伝送部１３２ａ、１３２ｂ、１３２ｃ、１３２ｄと、第２室内伝送部１３３ａ、１３３ｂ、１３３ｃ、１３３ｄと、室内記憶部１３４ａ、１３４ｂ、１３４ｃ、１３４ｄと、室内通信部１３５ａ、１３５ｂ、１３５ｃ、１３５ｄとを有している。尚、以下の説明では、室内コントローラ１３０ａの構成について説明し、室内コントローラ１３０ｂ、１３０ｃ、１３０ｄの構成については、添字「ａ」を「ｂ」、「ｃ」、「ｄ」に読み替えることで説明を省略する。
【００４４】
室内ＣＰＵ１３１ａは、室内伝送部１３２ａ、１３３ａ、室内記憶部１３４ａ及び室内通信部１３５ａに接続されている。第１室内伝送部１３２ａは、室外コントローラ１２０との間で制御データ等の伝送を行う。第２室内伝送部１３３ａは、他の室内コントローラ１３０ｂ、１３０ｃ、１３０ｄとの間で制御データ等の伝送を行う。室内記憶部１３４ａは、制御データ等を記憶する。室内通信部１３５ａは、グループリモコン１００との間で制御データ等の送受信を行う。そして、室内ＣＰＵ１３１ａは、室内伝送部１３２ａ、１３３ａや室内記憶部１３４ａ、室内通信部１３５ａを介して、制御データ等の伝送や読み書き、送受信を行いつつ、室内ユニット３ａに設けられた室内膨張機構等の機器３１ａ、３３ａの運転制御を行う。
【００４５】
−換気コントローラ−
換気コントローラ１６０ａ、１６０ｂは、それぞれ、対応する換気装置６ａ、６ｂの運転制御を行っている。換気コントローラ１６０ａ、１６０ｂは、それぞれ、主として、換気ＣＰＵ１６１ａ、１６１ｂと、換気通信部１６２ａ、１６２ｂと、換気記憶部１６３ａ、１６３ｂと、換気操作部１６４ａ、１６４ｂとを有している。尚、以下の説明では、換気コントローラ１６０ａの構成について説明し、換気コントローラ１６０ｂの構成については、添字「ａ」を「ｂ」に読み替えることで説明を省略する。
【００４６】
換気ＣＰＵ１６１ａは、換気通信部１６２ａ、換気記憶部１６３ａ及び換気操作部１６４ａに接続されている。換気通信部１６２ａは、グループリモコン１００との間で制御データ等の送受信を行う。換気記憶部１６３ａは、制御データ等を記憶する。換気操作部１６４ａは、制御指令等の入力を行う。そして、換気ＣＰＵ１６１ａは、換気通信部１６２ａや換気記憶部１６３ａ、換気操作部１６４ａを介して、制御データ等の読み書きや送受信を行いつつ、換気装置６ａに設けられたファン等の機器６５ａ、６７ａの運転制御を行う。
【００４７】
−検知コントローラ−
検知コントローラ１１０ａ、１１０ｂは、それぞれ、対応する冷媒漏洩検知装置１１ａ、１１ｂの運転制御、すなわち、冷媒検知部１１４ａ、１１４ｂによる冷媒の検知動作を行っている。検知コントローラ１１０ａ、１１０ｂは、それぞれ、主として、検知ＣＰＵ１１１ａ、１１１ｂと、検知通信部１１２ａ、１１２ｂと、検知記憶部１１３ａ、１１３ｂと、を有している。尚、以下の説明では、検知コントローラ１１０ａの構成について説明し、検知コントローラ１１０ｂの構成については、添字「ａ」を「ｂ」に読み替えることで説明を省略する。
【００４８】
検知ＣＰＵ１１１ａは、検知通信部１１２ａ及び検知記憶部１１３ａに接続されている。検知通信部１１２ａは、グループリモコン１００との間で制御データ等の送受信を行う。検知記憶部１１３ａは、制御データ等を記憶する。そして、検知ＣＰＵ１１１ａは、検知通信部１１２ａや検知記憶部１１３ａを介して、制御データ等の読み書きや送受信を行いつつ、冷媒漏洩検知装置１１ａ、１１ｂの冷媒検知部１１４ａ等による検知動作を行う。
【００４９】
−グループリモコン−
グループリモコン１００は、運転指令等の入力を受け付けて複数の室内ユニット３ａ、３ｂ、３ｃ、３ｄに運転指令を行うとともに、運転表示等を行っており、空調コントローラ１２の一部を構成している。グループリモコン１００は、主として、グループＣＰＵ１０１と、グループ記憶部１０２と、グループ通信部１０３と、グループ操作部１０４と、グループ表示部１０５とを有している。
【００５０】
グループＣＰＵ１０１は、グループ通信部１０２、グループ記憶部１０３、グループ操作部１０４及びグループ表示部１０５に接続されている。グループ通信部１０２は、室内通信部１３５ａ、１３５ｂ、１３５ｃ、１３５ｄや換気通信部１６２ａ、１６２ｂ、検知通信部１１２ａ、１１２ｂとの間で制御データ等の送受信を行う。グループ記憶部１０３は、制御データ等を記憶する。グループ操作部１０４は、制御指令等の入力を行う。グループ表示部１０５は、運転表示等を行う。そして、グループＣＰＵ１０１は、グループ操作部１０４を介して制御指令等の入力を受け付けて、グループ記憶部１０３に制御データ等の読み書きを行い、グループ表示部１０５に運転表示等を行いつつ、グループ通信部１０２を介して、室内ユニット３ａ、３ｂ、３ｃ、３ｄの室内コントローラ１３０ａ、１３０ｂ、１３０ｃ、１３０ｄや換気装置６ａ、６ｂの換気コントローラ１６０ａ、１６０ｂ、冷媒漏洩検知装置１１ａ、１１ｂの検知コントローラ１１０ａ、１１０ｂに制御指令等を行う。尚、室内コントローラ１３０ａ、１３０ｂ、１３０ｃ、１３０ｄや換気コントローラ１６０ａ、１６０ｂ、冷媒漏洩検知装置１１ａ、１１ｂの検知コントローラ１１０ａ、１１０ｂに制御指令等を行う手段として、グループＣＰＵ１０１には、グループ指令部１０６が設けられている。
【００５１】
また、グループＣＰＵ１０１には、ユニット特定部１０７と、グルーピング受付部１０８と、割り当て受付部１０９とが設けられている。
【００５２】
ユニット特定部１０７は、室内ユニット３ａ、３ｂ、３ｃ、３ｄ、換気装置６ａ、６ｂ及び冷媒漏洩検知装置１１ａ、１１ｂのそれぞれに対して、互いを区別するユニット番号を付与するユニット番号特定処理を行う。具体的には、ユニット特定部１０７は、空気調和装置１や換気装置６ａ、６ｂ、冷媒漏洩検知装置１１ａ、１１ｂの現場設置後でかつ試運転を行う前に、グループ通信部１０２を介して、室内コントローラ１３０ａ、１３０ｂ、１３０ｃ、１３０ｄや換気コントローラ１６０ａ、１６０ｂ、検知コントローラ１１０ａ、１１０ｂと通信を行い、ユニット番号を室内コントローラ１３０ａ、１３０ｂ、１３０ｃ、１３０ｄや換気コントローラ１６０ａ、１６０ｂ、検知コントローラ１１０ａ、１１０ｂに付与する。ここで、ユニット番号を付与する処理は、リモコンＣＰＵ１０１に認識された順に付与されるものであってもよいし、また、グループ操作部１０４を介して付与されるものであってもよい。そして、ユニット特定部１０７によって付与されたユニット番号は、グループ記憶部１０３、室内記憶部１３４ａ、１３４ｂ、１３４ｃ、１３４ｄ、換気記憶部１６３ａ、１６３ｂ及び検知記憶部１１３ａ、１１３ｂに記憶される。
【００５３】
グルーピング受付部１０８は、室内ユニット３ａ、３ｂ、３ｃ、３ｄがどの被空調空間の空調を受け持つかを定めるために、被空調空間ごとに室内ユニット３ａ、３ｂ、３ｃ、３ｄをグルーピングするグルーピング処理を行う。具体的には、グルーピング受付部１０８は、各室内ユニット３ａ、３ｂ、３ｃ、３ｄにユニット番号が付与された後に、グループ通信部１０２を介して、各室内コントローラ１３０ａ、１３０ｂ、１３０ｃ、１３０ｄと通信を行い、被空調空間ごとのグループ番号を室内コントローラ１３０ａ、１３０ｂ、１３０ｃ、１３０ｄに付与する。ここで、グループ番号を付与する処理は、グループ操作部１０４を介して付与される。そして、グルーピング受付部１０８によって付与されたグループ番号は、グループ記憶部１０３及び室内記憶部１３４ａ、１３４ｂ、１３４ｃ、１３４ｄに記憶される。
【００５４】
割り当て受付部１０９は、換気装置６ａ、６ｂや冷媒漏洩検知装置１１ａ、１１ｂがどの被空調空間の換気や冷媒検知を受け持つかを定めるために、グルーピング処理によって設定された各グループに対応して換気装置６ａ、６ｂや冷媒漏洩検知装置１１ａ、１１ｂからの信号が空調コントローラ１２に入力される状態を確立する割り当て処理を行う。具体的には、割り当て受付部１０９は、各室内ユニット３ａ、３ｂ、３ｃ、３ｄにグループ番号が付与された後に、グループ通信部１０２を介して、各換気コントローラ１６０ａ、１６０ｂや各検知コントローラ１１０ａ、１１０ｂと通信を行い、グループ番号を各換気コントローラ１６０ａ、１６０ｂや各検知コントローラ１１０ａ、１１０ｂに割り当てる。ここで、グループ番号を割り当てる処理は、グループ操作部１０４を介して付与される。そして、割り当て受付部１０９によって付与されたグループ番号は、グループ記憶部１０３、換気記憶部１６３ａ、１６３ｂ、１６３及び検知記憶部１１３ａ、１１３ｂに記憶される。
【００５５】
（２）運転
空気調和装置１、換気装置６ａ、６ｂ及び冷媒漏洩検知装置１１ａ、１１ｂを有する空調換気システムでは、以下の運転が行われる。
【００５６】
−空調運転−
まず、冷房運転について説明する。空調コントローラ１２（グループリモコン１００）から空気調和装置１に冷房運転の指示がなされると、切換機構２３が冷房運転状態（図３の切換機構２３の実線で示された状態）に切り換えられて、圧縮機２１、室外ファン２５が起動する。また、冷房運転を行う被空調空間として被空調空間Ｓ１が指定される場合には、室内ファン３３ａ、３３ｂが起動し、冷房運転を行う被空調空間として被空調空間Ｓ２が指定される場合には、室内ファン３３ｃ、３３ｄが起動し、冷房運転を行う被空調空間として被空調空間Ｓ１、Ｓ２の両方が指定される場合には、室内ファン３３ａ、３３ｂ、３３ｃ、３３ｄが起動する。
【００５７】
すると、冷媒回路１ａ内の低圧のガス冷媒は、切換機構２３を経由して、室外熱交換器２４に送られる。室外熱交換器２４に送られた高圧のガス冷媒は、冷媒の放熱器として機能する室外熱交換器２４において、室外ファン２５によって供給される室外空気（ＯＡ）と熱交換を行って冷却されることによって凝縮して、高圧の液冷媒となる。この高圧の液冷媒は、液冷媒連絡管４を経由して、被空調空間Ｓ１や被空調空間Ｓ２の冷房を行うために、室外ユニット２から室内ユニット３ａ、３ｂや室内ユニット３ｃ、３ｄに送られる。
【００５８】
室内ユニット３ａ、３ｂや室内ユニット３ｃ、３ｄに送られた高圧の液冷媒は、室内膨張機構３１ａ、３１ｂや室内膨張機構３１ｃ、３１ｄによって減圧されて、低圧の気液二相状態の冷媒となる。この低圧の気液二相状態の冷媒は、室内熱交換器３２ａ、３２ｂや室内熱交換器３２ｃ、３２ｄに送られる。室内熱交換器３２ａ、３２ｂや室内熱交換器３２ｃ、３２ｄに送られた低圧の気液二相状態の冷媒は、冷媒の蒸発器として機能する室内熱交換器３２ａ、３２ｂや室内熱交換器３２ｃ、３２ｄにおいて、室内ファン３３ａ、３３ｂや室内ファン３３ｃ、３３ｄによって被空調空間Ｓ１や被空調空間Ｓ２から供給される室内空気（ＲＡ）と熱交換を行って加熱されることによって蒸発して、低圧のガス冷媒となる。この低圧のガス冷媒は、ガス冷媒連絡管５を経由して、室内ユニット３ａ、３ｂや室内ユニット３ｃ、３ｄから室外ユニット２に送られる。一方、室内熱交換器３２ａ、３２ｂや室内熱交換器３２ｃ、３２ｄにおいて冷却された室内空気（ＲＡ）は、被空調空間Ｓ１や被空調空間Ｓ２に送られ、これにより、被空調空間Ｓ１や被空調空間Ｓ２の冷房が行われる。
【００５９】
室外ユニット２に送られた低圧のガス冷媒は、切換機構２３を経由して、再び、圧縮機２１に吸入される。
【００６０】
次に、暖房運転について説明する。空調コントローラ１２（グループリモコン１００）から空気調和装置１に暖房運転の指示がなされると、切換機構２３が暖房運転状態（図３の切換機構２３の破線で示された状態）に切り換えられて、圧縮機２１、室外ファン２５が起動する。また、暖房運転を行う被空調空間として被空調空間Ｓ１が指定される場合には、室内ファン３３ａ、３３ｂが起動し、暖房運転を行う被空調空間として被空調空間Ｓ２が指定される場合には、室内ファン３３ｃ、３３ｄが起動し、暖房運転を行う被空調空間として被空調空間Ｓ１、Ｓ２の両方が指定される場合には、室内ファン３３ａ、３３ｂ、３３ｃ、３３ｄが起動する。
【００６１】
すると、冷媒回路１ａ内の低圧のガス冷媒は、切換機構２３及びガス冷媒連絡管５を経由して、被空調空間Ｓ１や被空調空間Ｓ２の暖房を行うために、室外ユニット２から室内ユニット３ａ、３ｂや室内ユニット３ｃ、３ｄに送られる。
【００６２】
室内ユニット３ａ、３ｂや室内ユニット３ｃ、３ｄに送られた高圧のガス冷媒は、室内熱交換器３２ａ、３２ｂや室内熱交換器３２ｃ、３２ｄに送られる。室内熱交換器３２ａ、３２ｂや室内熱交換器３２ｃ、３２ｄに送られた高圧のガス冷媒は、冷媒の放熱器として機能する室内熱交換器３２ａ、３２ｂや室内熱交換器３２ｃ、３２ｄにおいて、室内ファン３３ａ、３３ｂや室内ファン３３ｃ、３３ｄによって被空調空間Ｓ１や被空調空間Ｓ２から供給される室内空気（ＲＡ）と熱交換を行って冷却されることによって凝縮して、高圧の液冷媒となる。この高圧の液冷媒は、室内膨張機構３１ａ、３１ｂや室内膨張機構３１ｃ、３１ｄによって減圧される。室内膨張機構３１ａ、３１ｂや室内膨張機構３１ｃ、３１ｄによって減圧された冷媒は、液冷媒連絡管４を経由して、室内ユニット３ａ、３ｂや室内ユニット３ｃ、３ｄから室外ユニット２に送られる。一方、室内熱交換器３２ａ、３２ｂや室内熱交換器３２ｃ、３２ｄにおいて過熱された室内空気（ＲＡ）は、被空調空間Ｓ１や被空調空間Ｓ２に送られ、これにより、被空調空間Ｓ１や被空調空間Ｓ２の暖房が行われる。
【００６３】
室外ユニット２に送られた冷媒は、室外熱交換器２４に送られる。室外熱交換器２４に送られた冷媒は、冷媒の蒸発器として機能する室外熱交換器２４において、室外ファン２５によって供給される室外空気（ＯＡ）と熱交換を行って加熱されることによって蒸発して、低圧のガス冷媒となる。この低圧のガス冷媒は、切換機構２３を経由して、再び、圧縮機２１に吸入される。
【００６４】
−換気運転−
まず、被空調空間Ｓ１の換気運転について説明する。換気コントローラ１６０ａから換気装置６ａに換気運転の指示がなされると、給気ファン６５ａ及び排気ファン６７ａが起動する。ここで、換気運転の指示には、換気操作部１６４ａからの入力による場合と、空調コントローラ１２からの要求による場合とがある。
【００６５】
すると、取入ダクト７を通じて室外から装置本体６１ａに流入した室外空気（ＯＡ）と、取出ダクト９ａを通じて被空調空間Ｓ１から装置本体６１ａに流入した室内空気（ＲＡ）とが、熱交換器６２ａにおいて、熱交換を行う。そして、熱交換器６２ａにおいて熱交換を行った室外空気（ＯＡ）は、給気ダクト８ａを通じて装置本体６１ａから被空調空間Ｓ１に供給空気（ＳＡ）として供給され、熱交換器６２ａにおいて熱交換を行った室内空気（ＲＡ）は、排気ダクト１０を通じて装置本体６１ａから室外に排出空気（ＥＡ）として排出される。
【００６６】
次に、被空調空間Ｓ２の換気運転について説明する。換気コントローラ１６０ｂから換気装置６ｂに換気運転の指示がなされると、給気ファン６５ｂ及び排気ファン６７ｂが起動する。ここで、換気運転の指示には、換気操作部１６４ｂからの入力による場合と、空調コントローラ１２からの要求による場合とがある。
【００６７】
すると、取入ダクト７を通じて室外から装置本体６１ｂに流入した室外空気（ＯＡ）と、取出ダクト９ｂを通じて被空調空間Ｓ２から装置本体６１ｂに流入した室内空気（ＲＡ）とが、熱交換器６２ｂにおいて、熱交換を行う。そして、熱交換器６２ｂにおいて熱交換を行った室外空気（ＯＡ）は、給気ダクト８ｂを通じて装置本体６１ｂから被空調空間Ｓ２に供給空気（ＳＡ）として供給され、熱交換器６２ｂにおいて熱交換を行った室内空気（ＲＡ）は、排気ダクト１０を通じて装置本体６１ｂから室外に排出空気（ＥＡ）として排出される。
【００６８】
−冷媒排出運転−
ここでは、空気調和装置１からの冷媒の漏洩によって、被空調空間Ｓ１、Ｓ２における酸欠事故、着火事故（冷媒が微燃性又は可燃性を有する場合）又は中毒事故（冷媒が毒性を有する場合）が発生することを防止するために、冷媒排出運転を行えるようになっている。すなわち、空気調和装置１から冷媒が漏洩して冷媒漏洩検知装置１１ａや冷媒漏洩検知装置１１ｂが冷媒を検知した場合に、冷媒が検知された被空調空間Ｓ１の空調を受け持つ室内ユニット３ａ、３ｂや冷媒が検知された被空調空間Ｓ２の空調を受け持つ室内ユニット３ｃ、３ｄから冷媒が漏洩しているものと判断して、冷媒が検知された被空調空間Ｓ１の換気装置６ａや被空調空間Ｓ１の換気装置６ｂを強制的に運転することによって、冷媒が検知された被空調空間Ｓ１や冷媒が検知された被空調空間Ｓ２から冷媒を排出するのである。
【００６９】
まず、被空調空間Ｓ１の冷媒漏洩検知装置１１ａが冷媒を検知した場合について説明する。被空調空間Ｓ１の冷媒検知を受け持つ冷媒漏洩検知装置１１ａが冷媒を検知すると、その信号を受けた空調コントローラ１２（グループリモコン１００）が、被空調空間Ｓ１の空調を受け持つ室内ユニット３ａ、３ｂの室内コントローラ１３０ａ、１３０ｂ及び被空調空間Ｓ１の換気を受け持つ換気装置６ａの換気コントローラ１６０ａに冷媒排出運転を行うように指示する。
【００７０】
すると、室内コントローラ１３０ａ、１３０ｂは、室内膨張機構３１ａ、３１ｂを閉止するとともに、室外ユニット２の室外コントローラ１２０に対して空調運転（冷房運転や暖房運転）を停止するように指示する。室外コントローラ１２０は、圧縮機２１や室外ファン２５を停止させ、これにより、空気調和装置１が停止する。また、換気コントローラ１６０ａは、換気運転を行っていない場合には、給気ファン６５ａ及び排気ファン６７ａを起動し、換気運転を行っている場合には、換気運転を継続することによって、被空調空間Ｓ１から冷媒を排出する。
【００７１】
次に、被空調空間Ｓ２の冷媒漏洩検知装置１１ｂが冷媒を検知した場合について説明する。被空調空間Ｓ２の冷媒検知を受け持つ冷媒漏洩検知装置１１ｂが冷媒を検知すると、その信号を受けた空調コントローラ１２（グループリモコン１００）が、被空調空間Ｓ２の空調を受け持つ室内ユニット３ｃ、３ｄの室内コントローラ１３０ｂ、１３０ｄ及び被空調空間Ｓ２の換気を受け持つ換気装置６ｂの換気コントローラ１６０ｂに冷媒排出運転を行うように指示する。
【００７２】
すると、室内コントローラ１３０ｃ、１３０ｄは、室内膨張機構３１ｃ、３１ｄを閉止するとともに、室外ユニット２の室外コントローラ１２０に対して空調運転（冷房運転や暖房運転）を停止するように指示する。室外コントローラ１２０は、圧縮機２１や室外ファン２５を停止させ、これにより、空気調和装置１が停止する。また、換気コントローラ１６０ｂは、換気運転を行っていない場合には、給気ファン６５ｂ及び排気ファン６７ｂを起動し、換気運転を行っている場合には、換気運転を継続することによって、被空調空間Ｓ２から冷媒を排出する。
【００７３】
（３）現場設置後における各装置間の信号伝送系統の接続
上記の冷媒排出運転のような室内マルチ型の空気調和装置１と換気装置６１ａ、６１ｂとを連動させる運転は、冷媒漏洩検知装置１１ａ、１１ｂを含む各装置１、６１ａ、６１ｂ間の信号伝送系統の接続が行われることで可能となるものである。言い換えれば、冷媒漏洩検知装置１１ａ、１１ｂを含む各装置１、６１ａ、６１ｂ間の信号伝送系統の接続が行われていない場合には、互いに連動することはなく、各装置１、６１ａ、６１ｂを独立して運転できるだけ（すなわち、空調運転と換気運転とが独立して運転できるだけ）である。そして、室内マルチ型の空気調和装置１と換気装置６１ａ、６１ｂとが独立して選定・設置されることを考慮すると、上記のように、冷媒排出運転を行う構成を採用しようとしても、設置現場において、冷媒漏洩検知装置１１ａ、１１ｂを含めた各装置１、６１ａ、６１ｂ間の信号伝送系統の接続が確実になされない状況が発生するおそれがある。このため、室内マルチ型の空気調和装置１と換気装置６１ａ、６１ｂとが独立して設置される構成においては、冷媒が漏洩した際に換気装置６１ａ、６１ｂが運転される等の対策が確立しないままで空気調和装置１の運転が行われるおそれがあり、空気調和装置１からの冷媒の漏洩による事故が発生する可能性を排除することができないという問題がある。
【００７４】
そこで、ここでは、以下に説明するように、被空調空間（ここでは、被空調空間Ｓ１、Ｓ２）ごとに複数（ここでは、４つ）の室内ユニット３ａ、３ｂ、３ｃ、３ｄをグルーピングされ、グルーピングによって設定された各グループ（ここでは、被空調空間Ｓ１に対応するグループＧ１及び被空調空間Ｓ２に対応するグループＧ２）に対応して設置されており被空調空間Ｓ１、Ｓ２の換気を行う換気装置６ａ、６ｂ、又は、各グループＧ１、Ｇ２に対応して設置されており冷媒を検知する冷媒漏洩検知装置１１ａ、１１ｂからの信号が制御装置としての空調コントローラ１２に入力されない限り、複数の室内ユニット３ａ、３ｂ、３ｃ、３ｄ及び室外ユニット２の試運転を含む運転を行えないようにしている。
【００７５】
以下、このような各装置１、１１ａ、１１ｂ、６１ａ、６１ｂ間の信号伝送系統の接続処理について、図６及び図７を用いて説明する。ここで、図６は、現場設置後における各装置１、１１ａ、１１ｂ、６１ａ、６１ｂ間の信号伝送系統の接続処理を示すフローチャートである。図７は、運転許可後のユニット情報テーブルの内容を示す図である。
【００７６】
−ユニット番号特定処理−
空調コントローラ１２は、まず、ステップＳＴ１において、室内ユニット３ａ、３ｂ、３ｃ、３ｄ、換気装置６ａ、６ｂ、冷媒漏洩検知装置１１ａ、１１ｂのそれぞれに対して互いを区別するユニット番号を付与するユニット番号特定処理を行う。ここでは、「１」〜「８」のユニット番号が、室内ユニット３ａ、３ｂ、３ｃ、３ｄ、換気装置６ａ、６ｂ、冷媒漏洩検知装置１１ａ、１１ｂの順に付与される。尚、このユニット番号特定処理は、上記のように、グループリモコン１００のユニット特定部１０７によって行われる。そして、付与されたユニット番号は、グループリモコン１００のグループ記憶部１０３にすべて記憶される。また、各コントローラ１３０ａ、１３０ｂ、１３０ｃ、１３０ｄ、１６０ａ、１６０ｂ、１１０ａ、１１０ｂの記憶部１３４ａ、１３４ｂ、１３４ｃ、１３４ｄ、１６３ａ、１６３ｂ、１１３ａ、１１３ｂにおいても、対応するユニット番号がそれぞれ記憶される。
【００７７】
−グルーピング処理−
次に、空調コントローラ１２は、ステップＳＴ２において、室内ユニット３ａ、３ｂ、３ｃ、３ｄがどの被空調空間の空調を受け持つかを定めるために、被空調空間ごとに室内ユニット３ａ、３ｂ、３ｃ、３ｄをグルーピングするグルーピング処理を行う。ここでは、被空調空間Ｓ１に対応するグループＧ１を意味する「１」が、室内コントローラ１３０ａ、１３０ｂに付与され、被空調空間Ｓ２に対応するグループＧ２を意味する「２」が、室内コントローラ１３０ｃ、１３０ｄに付与される。尚、このグルーピング処理は、上記のように、グループリモコン１００のグルーピング受付部１０８によって行われる。そして、室内コントローラ１３０ａ、１３０ｂ、１３０ｃ、１３０ｄに付与されたグループ番号は、グループリモコン１００のグループ記憶部１０３にすべて記憶される。また、各室内コントローラ１３０ａ、１３０ｂ、１３０ｃ、１３０ｄの室内記憶部１３４ａ、１３４ｂ、１３４ｃ、１３４ｄにおいても、対応するグループ番号がそれぞれ記憶される。
【００７８】
−割り当て処理−
次に、空調コントローラ１２は、ステップＳＴ３において、換気装置６ａ、６ｂや冷媒漏洩検知装置１１ａ、１１ｂがどの被空調空間の換気や冷媒検知を受け持つかを定めるために、ステップＳＴ２のグルーピング処理によって設定された各グループ（ここでは、Ｇ１、Ｇ２）に対応して換気装置６ａ、６ｂや冷媒漏洩検知装置１１ａ、１１ｂからの信号が空調コントローラ１２に入力される状態を確立する割り当て処理を行う。ここでは、被空調空間Ｓ１に対応するグループＧ１を意味する「１」が、換気コントローラ１６０ａ及び検知コントローラ１１０ａに付与され、被空調空間Ｓ２に対応するグループＧ２を意味する「２」が、換気コントローラ１６０ｂ及び検知コントローラ１１０ｂに付与される。そして、換気コントローラ１６０ａ、１６０ｂ及び検知コントローラ１１０ａ、１１０ｂに付与されたグループ番号は、グループリモコン１００のグループ記憶部１０３にすべて記憶される。また、各コントローラ１６０ａ、１６０ｂ、１１０ａ、１１０ｂの記憶部１６３ａ、１６３ｂ、１１３ａ、１１３ｂにおいても、対応するグループ番号がそれぞれ記憶される。これにより、被空調空間Ｓ１に対応するグループＧ１には、室内ユニット３ａ、３ｂ、換気装置６ａ及び冷媒漏洩検知装置１１ａが割り当てられ、被空調空間Ｓ２に対応するグループＧ２には、室内ユニット３ｃ、３ｄ、換気装置６ｂ及び冷媒漏洩検知装置１１ｂが割り当てられ、各装置１、６ａ、６ｂ、１１ａ、１１ｂが空調コントローラ１２を通じて連動可能な状態となる。
【００７９】
−割り当て処理の完了判定、運転許可−
次に、空調コントローラ１２は、ステップＳＴ４において、室内ユニットが設置されたグループのすべて（ここでは、Ｇ１、Ｇ２）への換気装置及び冷媒漏洩検知装置の割り当て処理が完了しているかどうかを判定し、割り当て処理が完了している場合には、ステップＳＴ５において、試運転を含む空気調和装置１の運転を許可し、一連の各装置１、６ａ、６ｂ、１１ａ、１１ｂ間の信号伝送系統の接続処理を終了する。
【００８０】
このように、ここでは、室内マルチ型の空気調和装置１を設置するにあたり、複数（ここでは、４つ）の室内ユニット３ａ、３ｂ、３ｃ、３ｄを被空調空間（ここでは、被空調空間Ｓ１、Ｓ２）ごとにグルーピングし、かつ、各グループ（ここでは、Ｇ１、Ｇ２）に対応して換気装置６ａ、６ｂや冷媒漏洩検知装置１１ａ、１１ｂからの信号が空調コントローラ１２（制御装置）に入力される状態を確立することによって、設置現場において、冷媒漏洩検知装置１１ａ、１１ｂを含めた各装置間の信号伝送系統の接続が確実になされるようにしている。
【００８１】
これにより、室内マルチ型の空気調和装置１と換気装置６ａ、６ｂとが独立して設置される構成においても、冷媒が漏洩した際に換気装置６ａ、６ｂが運転される等の対策が確実に確立した状態で空気調和装置１の運転を行うことができ、空気調和装置１からの冷媒の漏洩による事故の発生を確実に抑えることができる。
【００８２】
特に、ここでは、冷媒回路１ａに封入される冷媒が微燃性又は可燃性又は毒性を有するため、冷媒が漏洩した際に換気装置６ａ、６ｂが運転される等の対策がなされなければ、可燃濃度又は毒性限界濃度を超えてしまい、被空調空間Ｓ１、Ｓ２における着火事故や中毒事故が発生するおそれがある。しかし、ここでは、上記のように、室内マルチ型の空気調和装置１を設置するにあたり、設置現場において、冷媒漏洩検知装置１１ａ、１１ｂを含めた各装置間の信号伝送系統の接続が確実になされるようにしているため、冷媒が漏洩した際に換気装置６ａ、６ｂが運転される等の対策が確実に確立した状態で空気調和装置１の運転を行うことができ、空気調和装置１からの冷媒の漏洩による着火事故や中毒事故の発生を確実に抑えることができる。
【００８３】
（４）変形例
＜Ａ＞
上記実施形態では、室内ユニット３ａ、３ｂ、３ｃ、３ｄとして、天井設置型のものが採用されているが、これに限定されるものではなく、例えば、壁設置、壁裏設置、床上設置、床下設置、天井裏設置、機械室設置等の他の型式の室内ユニットであってもよい。
【００８４】
＜Ｂ＞
上記実施形態では、換気装置６ａ、６ｂとして、天井裏設置型のものが採用されているが、これに限定されるものではなく、例えば、壁裏設置、床下設置、機械室設置等の他の型式の換気装置であってもよい。また、上記実施形態では、換気装置６ａ、６ｂとして、全熱交換器６２ａ、６２ｂを有する型式のものが採用されているが、これに限定されるものではなく、例えば、ファンのみを有するもの等の他の型式の換気装置であってもよい。
【００８５】
＜Ｃ＞
上記実施形態では、各コントローラ間が伝送線を介して接続された伝送形式が採用されているが、これに限定されるものではなく、ワイヤレス接続等の他の伝送形式であってもよい。
【００８６】
＜Ｄ＞
上記実施形態では、冷媒漏洩検知装置１１ａ、１１ｂが被空調空間Ｓ１、Ｓ２に設けられているが、これに限定されるものではなく、例えば、室内ユニット３ａ、３ｂ、３ｃ、３ｄに設けられてもよい。
【００８７】
＜Ｅ＞
上記実施形態では、空気調和装置１を制御するためにグループリモコン１００が設けられているが、各室内ユニット３ａ、３ｂ、３ｃ、３ｄに対応してリモコンが設けられる場合には、これらのリモコンの一つをグループリモコン１００として機能させるようにしてもよい。
【００８８】
＜Ｆ＞
空気調和装置１の空調コントローラ１２、換気装置６ａ、６ｂの換気コントローラ１６０ａ、１６０ｂ及び冷媒漏洩検知装置１１ａ、１１ｂの検知コントローラ１１０ａ、１１０ｂ間の信号のやりとりは、電気接点からの単なる電圧信号や電流信号であってもよいし、装置の機種等を特定できるような信号であってもよく、また、暗号化された信号であってもよい。このとき、装置の機種等を特定できるような信号や暗号化された信号であれば、装置間の連動偽装等を防止することができ、これにより、装置間の接続に関する信頼性を向上させることができる。
【００８９】
また、上記実施形態では、空気調和装置１の空調コントローラ１２（制御装置）を構成する室外コントローラ１２０、室内コントローラ１３０ａ、１３０ｂ、１３０ｃ、１３０ｄ及びグループコントローラ１００のうち、グループコントローラ１００が換気装置６ａ、６ｂの換気コントローラ１６０ａ、１６０ｂ及び冷媒漏洩検知装置１１ａ、１１ｂの検知コントローラ１１０ａ、１１０ｂ間で直接的に信号のやりとりを行い、室外コントローラ１２０及び室内コントローラ１３０ａ、１３０ｂ、１３０ｃ、１３０ｄと換気コントローラ１６０ａ、１６０ｂ及び検知コントローラ１１０ａ、１１０ｂとは、グループコントローラ１００を介して信号のやりとりが行われるようになっているが、これに限定されるものではない。例えば、室内コントローラ１３０ａ、１３０ｂ、１３０ｃ、１３０ｄが、換気コントローラ１６０ａ、１６０ｂ及び検知コントローラ１１０ａ、１１０ｂとの間で直接的に信号のやりとりを行うようになっていてもよい。また、室外コントローラ１２０が、換気コントローラ１６０ａ、１６０ｂ及び検知コントローラ１１０ａ、１１０ｂとの間で直接的に信号のやりとりを行うようになっていてもよい。
【産業上の利用可能性】
【００９０】
本発明は、複数の室内ユニットが室外ユニットに接続されることによって構成されており冷媒が循環する冷媒回路と、複数の室内ユニット及び室外ユニットの運転制御を行う制御装置と、を有する空気調和装置に対して、広く適用可能である。
【符号の説明】
【００９１】
１                      空気調和装置
１ａ                    冷媒回路
２                      室外ユニット
３ａ、３ｂ、３ｃ、３ｄ  室内ユニット
６ａ、６ｂ              換気装置
１１ａ、１１ｂ          冷媒漏洩検知装置
１２                    制御装置（空調コントローラ）
【先行技術文献】
【特許文献】
【００９２】
【特許文献１】特開２００１−７４２８３号公報
【図１】
0006528446.tif 000002
【図２】
0006528446.tif 000003
【図３】
0006528446.tif 000004
【図４】
0006528446.tif 000005
【図５】
0006528446.tif 000006
【図６】
0006528446.tif 000007
【図７】
0006528446.tif 000008